(57)【特許請求の範囲】
【請求項１】
車椅子のフレームに連結する連結部を有するベースプレートと、該ベースプレートに着脱自在に連結するメインプレートと、該メインプレートにスライド可能に連結するサブプレートからなる車椅子用のフットプレートであって、前記メインプレートの基端部側を前記ベースプレートに着脱自在に連結してフットプレートの位置を前後に変更し、前記サブプレートは前記メインプレートにスライド可能に連結してフットプレートの面積を変更できることを特徴とする車椅子用のフットプレート。
【請求項２】
メインプレートは基端部側にベースプレートと着脱自在に連結するための連続した長い貫通孔を有し、サブプレートはメインプレートにスライド可能に任意の位置で固定するための貫通孔を有し、前記ベースプレートの貫通孔と前記メインプレートの貫通孔の着設位置を前後に変えて、前記メインプレートの位置を前後に変更することができることを特徴とする請求項１に記載の車椅子用のフットプレート。
【請求項３】
基端部側にベースプレートと着脱自在に連結するための、連続した長い貫通孔を有するメインプレートは中間部から先端部に掛けてサブプレートをスライド可能に連結するための複数本の係止部を有し、前記メインプレートの前記係止部に係合する複数本の係止部を有するサブプレートとを連結し、該連結されたサブプレートを前記メインプレートに対しスライドさせることによって、フットプレートの面積を変更することができることを特徴とする請求項１又は２に記載の車椅子用のフットプレート。
【請求項４】
メインプレートの係止部は凹部と凸部を有し、サブプレートの係止部は凸部と凹部を有し、前記メインプレートの係止部の凹部と前記サブプレートの係止部の凸部、前記メインプレートの係止部の凸部と前記サブプレートの係止部の凹部が互いに嵌合してスライド可能に連結し、スライドさせることによってフットプレートの面積を変更することができることを特徴とする請求項１〜３のいずれか一項に記載の車椅子用のフットプレート。
【発明の詳細な説明】
【０００１】
【発明の属する技術分野】
本発明は、車椅子用フットプレートに関する技術である。詳しくは、車椅子用フットプレートを複数の部材から構成することにより、車椅子使用者の所望の位置にフットプレートの取り付け位置を変更可能にし、更に、車椅子使用上の利便性を図り、車椅子使用者の足の大きさに応じて、フットプレートの面積、つまり、足置き面積を変更することが可能な車椅子用フットプレートに関する技術である。
【０００２】
【従来の技術】
車椅子用フットプレートは、車椅子使用者の体型、脚部の怪我、麻痺等の病状に応じて適正な位置に調節する必要がある。仮に、フットプレートが適正な位置に調節されず、フットプレートが高い位置にある場合、又は、フットプレートが近すぎる場合は、車椅子使用者の膝は左右どちらかの側に倒れ込み、車椅子使用者の足腰に負担を掛けることになる。逆に、フットプレートが低すぎる場合、又は、フットプレートが遠すぎる場合は、車椅子使用者の足を十分に保持することができず、フットプレートから足がすぐに滑り落ち、車椅子使用者が車椅子から転倒する危険が生じる。そのため、従来の車椅子用フットプレートは、フットプレートが取り付けられたフレーム部分を上下方向及び前後方向に伸縮可能にすることにより、フットプレートの取り付け位置を変化させ、様々な車椅子使用者の体型、脚部の怪我、麻痺等の病状に対応できるように構成している。
【０００３】
しかし、上記従来の車椅子用フットプレートは、フットプレートの取り付け位置の調節をフレームの伸縮のみで調整するため、フットプレートの取り付け位置の調節は大雑把なもとなり、車椅子使用者の体型、脚部の怪我、麻痺等に応じて細かく調整することができないという問題があった。
【０００４】
又、上記従来の車椅子用フットプレートは一つの板材が車椅子のフレームに取り付けてあるのみで、車椅子使用者の足の大小は考慮されていない。そのため、車椅子使用者の足の大きさよりフットプレートが大きいために、車椅子乗降の際にフットプレートが邪魔になるという問題や、逆に、車椅子使用者の足の大きさよりフットプレートが小さいために、車椅子使用者の足を十分に保持することができず、フットプレートから足がすぐに滑り落ち、車椅子使用者が車椅子から転倒する可能性があるため、車椅子使用者は常に注意して車椅子を操作しなければいけいないという問題があった。
【０００５】
【発明が解決しようとする課題】
本発明は、上述した従来技術の問題を克服するために成されたものであり、車椅子使用者の所望の位置にフットプレートの取り付け位置を変更することができ、更に、車椅子の利便性を図り、車椅子使用者の足の大きさに応じて、フットプレートの足置き面積を変更することのできる、車椅子用フットプレートを提供することを課題としている。
【０００６】
【課題を解決するための手段】
上述した課題を解決するために鋭意研究を重ねて本発明を完成し、本発明は以下の手段を特徴としている。本願発明の特徴は、車椅子のフレームに設けられる固定式又は回動式の車椅子用フットプレートにおいて、前記車椅子用フットプレートは、前記車椅子のフレームに連結されるベースプレートと、このベースプレートに着脱自在に連結されるメインプレートとを有し、前記ベースプレートと前記メインプレートとの連結位置を前後に変更することによって、前記車椅子用フットプレートの取り付け位置を前後に変更できることを特徴とした。
【０００７】
本願発明の別の特徴は、車椅子のフレームに設けられる固定式又は回動式の車椅子用フットプレートにおいて、前記車椅子用フットプレートは、メインプレートとこのメインプレートに連結されるサブプレートとを有し、この連結されたサブプレートをスライドさせることによって、車椅子用フットプレートの面積を変更することを特徴とした。
【０００８】
本願発明の別の特徴は、上述のベースプレートとメインプレート、及びメインプレートとサブプレートを有することにより、車椅子用フットプレートの取り付け位置を前後に変更すること、及び、車椅子用フットプレートの面積を変更することを特徴とした。
【０００９】
本願発明の別の特徴は、ベースプレート及びメインプレートには、それぞれに上下方向に貫通する貫通孔を形成し、前記ベースプレートの貫通孔と前記メインプレートの貫通孔が重なる任意の位置で、この重なった貫通孔に取着片を着脱自在に挿入固定して、前記ベースプレートに前記メインプレートを着脱自在に連結することを特徴とする。
【００１０】
本願発明の別の特徴は、メインプレートにサブプレートを係止する係止部を形成し、又は、サブプレートにメインプレートを係止する係止部を形成し、前記メインプレートの係止部又は前記サブプレートの係止部により、前記メインプレートと前記サブプレートをスライド可能に連結することを特徴とする。
【００１１】
本願発明の別の特徴は、メインプレートとサブプレートには、それぞれに所定の長さの凹部又は凸部を形成し、前記メインプレートの凹部又は凸部と前記サブプレートの凸部又凹部とが嵌合し、前記メインプレートと前記サブプレートをスライド可能に連結することを特徴とする。
【００１２】
【発明の実施の形態】
本発明は、車椅子使用者の脚部を乗せるための車椅子用フットプレートである。以下、本発明の実施形態を添付図面を用いて説明する。
【００１３】
図１は本発明の車椅子用フットプレート１００の参考斜視図、図２は本発明の車椅子用フットプレート１００の平面図である。本発明の車椅子用フットプレート１００は、車椅子のフレーム２００に連結するベースプレート１０と、ベースプレート１０に着脱自在に連結するメインプレート２０と、メインプレート２０にスライド可能に連結するサブプレート３０から構成する。
【００１４】
本発明の車椅子用フットプレート１００は、フレーム２００に連結したベースプレート１０に、メインプレート２０が着脱自在に連結されることにより、車椅子用フットプレート１００の取り付け位置を変更することができる。又、本発明の車椅子用フットプレート１００は、メインプレート２０にサブプレート３０がスライド可能に連結されるため、サブプレート３０をスライドさせることにより、車椅子用フットプレート１００の足置き面積を変更することができる。
【００１５】
本発明の車椅子用フットプレート１００は、フレーム２００に固定して連結する構造又は、回動可能に連結する構造のどちらであってもよい。又、本発明のベースプレート１０を、フレーム２００に一体成型した構造であってもよい。更に、本発明のベースプレート１０とメインプレート２０を一体に形成してフレーム２００に連結し、これにサブプレート３０をスライド可能に連結させて、車椅子用フットプレート１００の足置き面積のみが変更可能な構成にしてもよい。もちろん、フレーム２００が上下方向、前後方向に伸縮する車椅子に本発明の車椅子用フットプレート１００を連結してもよい。
【００１６】
本発明の車椅子用フットプレート１００を構成するベースプレート１０、メインプレート２０、サブプレート３０の材料については、プラスチック、合成樹脂、金属等、如何なる材料を用いてもよい。
【００１７】
【実施例】
本発明の車椅子用フットプレートの一実施例を添付図面を用いて説明する。
図１は本発明の車椅子用フットプレート１００の参考斜視図、図２は本発明の車椅子用フットプレート１００の平面図である。これらが図示するように、本発明の車椅子用フットプレート１００は、車椅子のフレーム２００に連結するベースプレート１０と、ベースプレート１０に着脱自在に連結するメインプレート２０と、メインプレート２０にスライド可能に連結するサブプレート３０から構成する。
【００１８】
図３は、ベースプレート１０の平面図である。ベースプレート１０は略凹形の合成樹脂板で形成し、凹部側にフレーム２００に連結するフレーム連結部１２を設けている。フレーム２００とベースプレート１０の連結は、固定式又は回動式どちらであってもよい。そして、フレーム連結部に対向する位置にメインプレート２０を着脱自在に連結する貫通孔１１をベースプレート１０の表裏両面を貫通して設けている。
【００１９】
図面に図示したベースプレート１０は、略凹形の板材で形成されているが、これに限られるものではなく、フレーム２００に連結されるフレーム連結部１２と、メインプレート２０を着脱自在に連結する貫通孔１１を有するものであれば、略凸形状、略四角形等の様々な多角形、円形等如何なる形状であってもよい。又、図面に図示した貫通孔１１は、ベースプレート１０の長手方向２列の軸上に５箇所設けられているが、これに限定されるものではなく、メインプレート２０をベースプレート１０に着脱自在に連結できるものであれば、貫通孔の数は１箇所、２箇所、３箇所、４箇所、更に５箇所以上であってもよく、貫通孔１１の配置についても、図面に限定されるものではなく、任意の位置に配置してよい。
【００２０】
図４は、メインプレート２０の平面図である。メインプレート２０はベースプレート１０に着脱自在に連結されるものである。メインプレート２０は略フォーク先端形状の合成樹脂板で、基端部側にベースプレート１０と着脱自在に連結するための、連続した長孔の貫通孔２１を表裏両面を貫通して２列設けている。更に、この貫通孔２１の周辺には、メインプレート２０の上面より低く下げて波形に形成した下段部２５を設けている。そして、メインプレート２０の略基端部中程から先端部にかけて、サブプレート３０をスライド可能に連結するための、複数本の係止部２２が突出している。
【００２１】
図面に図示した貫通孔２１は、２列の連続した長孔であるが、ベースプレート１０の貫通孔１１と対応すれば、１列又は２列以上の複数列の貫通孔でもよい。又、貫通孔２１を長孔ではなく、短孔にしてこれを複数個設けてもよい。更に、この短孔を、列を形成しない様々な配置で設けてもよい。
【００２２】
本発明の車椅子用フットプレート１００のメインプレート２０に設けた貫通孔２１は、２列の連続した長孔である。貫通孔２１を２列設けることにより、メインプレート２０をより確実にベースプレート１０に連結することができ、更に、貫通孔２１が連続した長孔であることから、取着片４０をメインプレートに挿入できる位置は車椅子使用者の自由である。従って、メインプレートをベースプレートに連結する位置を非常に細かく調整することができる。
【００２３】
そして、係止部２２については、図面に図示した係止部２２は、複数本が突出しているが、この本数は図示した本数に限定されるものではなく、図示した本数以外の数や、略凹形状又は略凸形状、又は、四角形等の多角形で、サブプレート３０と対応して、メインプレート２０とサブプレート３０が連結し、サブプレート３０がスライド可能な形状であればよい。
【００２４】
図５は、メインプレート２０の係止部２２を先端部から表す図である。係止部２２により、メインプレート２０にサブプレート３０をスライド可能に連結すことができる。メインプレート２０の両端部の係止部２２Ａには、請求項５記載の発明に係る、メインプレート２０にサブプレート３０を連結した際に、サブプレート３０のスライドを案内し、更に、サブプレート３０と係止してメインプレート２０からサブプレート３０の脱落を防止するための、係止部としての凹部２４を設け、係止部２２Ｂには、請求項６記載の発明に係る凸部２３を設けている。
【００２５】
図６は、サブプレート３０の平面図である。サブプレート３０は略フォーク先端形状の合成樹脂板で、先端部側には、メインプレート２０をスライド可能に連結するための、複数本の係止部３２が突出している。そして、係止部３２の端部には、サブプレート３０をメインプレート２０にスライド可能に連結した際に、サブプレート３０を任意の位置で固定するための貫通孔３１を２箇所設け、この貫通孔３１の周辺には、サブプレート３０の上面より低く下げた下段部３５を設けている。
【００２６】
図面に図示した係止部３２は、複数本が突出しているが、この本数は図示した本数に限定されるものではなく、図示した本数以外の数や、略凹形状又は略凸形状で、メインプレート２０と対応して、サブプレート３０とメインプレート２０を連結し、サブプレート３０がスライド可能な形状であればよい。そして、貫通孔３１についても、図面に図示した貫通孔３１は２箇所であるが、係止部３２の本数に応じて、１箇所又は２箇所以上の複数箇所の貫通孔３１を設けてもよい。
【００２７】
図７は、サブプレート３０の係止部３２を先端部から表す図である。係止部３２により、サブプレート３０をメインプレート２０にスライド可能に連結すことができる。サブプレート３０の両端部の係止部３２Ａには、請求項５記載の発明に係るメインプレート２０の係止部２２Ａと係止して、サブプレート３０が脱落することなくスライド可能にするための凸部３４を設けている。尚メインプレート２０の係止部２２Ａに係止される形状であれば、この係止部３２Ａは凸部でなくとも、平面状側面等、如何なる形状であってもよい。そして、その他の係止部３２Ｂには、請求項６記載の発明に係る凹部３３を設けている。
【００２８】
次に、本発明の車椅子用フットプレート１００の車椅子への連結、連結位置の変更操作、足置き面積の変更操作等に関する一実施例を、添付図面を用いて説明する。
【００２９】
図８は、ベースプレート１０とメインプレート２０の連結状態を表す一部透視参考図である。車椅子用フットプレート１００の車椅子への連結は、先ず、ベースプレート１０をフレーム２００に、固定して或いは回動可能に連結する。次に、メインプレート２０をベースプレート１０上面の、ベースプレート１０の貫通孔１１とメインプレート２０の貫通孔２１の重なる任意の位置に配置し、この重なった貫通孔１１、２１に取着片４０を挿入し、ベースプレート１０とメインプレート２０を固定する。取着片４０は、ボルト類、ネジ類等、様々なものを用いてよい。ボルト類、ネジ類等の螺合を必要とするものを用いた場合、ベースプレート１０の貫通孔１１の下面にナット類を配するか、ベースプレート１０及びメインプレート２０の貫通孔１１、２１の内側面に螺旋溝を設け、ベースプレート１０にメインプレート２０を着脱自在に連結する。又この取着片４０は、金属、プラスチック、合成樹脂等の如何なる材料を用いてもよい。
【００３０】
メインプレート２０の貫通孔２１の周辺には、下段部２５が設けられており、取着片４０をメインプレート２０の貫通孔２１に挿入した際、取着片４０の上端部が突出することが無い。従って、取着片４０の上端部が車椅子利用者の邪魔になること、及び、取着片４０の上端部が車椅子使用者の足に当たり、車椅子使用者が不測の負傷を受けることは無い。
【００３１】
本発明の車椅子用フットプレート１００の連結位置の変更操作について、ベースプレート１０の貫通孔１１と、これに着脱自在に連結されたメインプレート２０の貫通孔２１の、重なった貫通孔１１、２１に着脱自在に挿入固定された取着片４０を取り外す。そして、ベースプレート１０の貫通孔１１と、メインプレート２０の貫通孔２１を初期連結状態とは異なる位置に配置して重ね、再び取着片４０をこの重なった貫通孔１１、２１に挿入固定する。サブプレート３０は、メインプレート２０に連結しているため、上記操作を行うことにより、本発明の車椅子用フットプレート１００全体の連結位置を、車椅子の前後方向に変更することができる。これにより、車椅子使用者の体型、怪我、麻痺等の病状、そして病状の変化等に応じて、フットプレート１００の取り付け位置を調整し、これを適切な位置に取り付けるによって、様々な車椅子使用者の脚部を確実に保持することができる。
【００３２】
図１は、本発明の車椅子用フットプレート１００の参考斜視図である。本発明の車椅子用フットプレートは、メインプレート２０の係止部２２Ａ，２２Ｂと、サブプレート３０の係止部３２Ａ、３２Ｂが、互いに係止してスライド可能に連結する。メインプレート２０の係止部２２Ａには凹部２４、係止部２２Ｂには凸部２３を設け、サブプレート３０の係止部３２Ａには凸部３４と、係止部３２Ｂには凹部３３を設けている。メインプレート２０の係止部２２とサブプレート３０の係止部３２をスライド可能に連結した際、係止部２２Ａの凹部２４と係止部３２Ａの凸部３４、及び、係止部２２Ｂの凸部２３と係止部３２Ｂの凹部３３が嵌合する。これにより、サブプレート３０をメインプレート２０からサブプレート３０が脱落すること無く、サブプレート３０を車椅子の内側方向にスライドすることができる。従って、車椅子使用者は、所望の任意の位置にサブプレート３０をスライドし、フットプレート１００の足置き面積を拡大し又は縮小して、任意の足置き面積に変更することができる。
【００３３】
そして、サブプレート３０を、２箇所設けられた貫通孔３１で任意の箇所に固定する。本発明の車椅子用フットプレート１００の足置き面積を固定するには、貫通孔３１に、例えば、ボルト類、ネジ類、ナット類の固定具（図示せず）を着脱自在に挿入し、メインプレート２０にサブプレート３０を固定する。逆に、足置き面積を変更するには、前記固定具を貫通孔３１から取り外し、サブプレート３０をスライド可能な状態にし、車椅子使用者の所望のフットプレート足置き面積になるように、サブプレート３０をスライドさせた後、前記固定具を再び貫通孔３１に着脱自在に挿入して固定する。
【００３４】
貫通孔３１の周辺には、サブプレート３０の上面より低く下げた下段部３５が設けられている。そのため、前記固定具を貫通孔３１に挿入した際に、前記固定具の上端部が突出することが無い。従って、前記固定具の上端部が車椅子利用者の邪魔になること、及び、前記固定具の上端部が車椅子使用者の足に当たり、車椅子使用者が不測の負傷を受けることは無い。
【００３５】
尚、図面に図示したメインプレート２０の係止部２２は、複数本が突出しているが、この本数は図示した本数に限定されるものではなく、図示した本数以外の数や、略凹形状又は略凸形状、又は、四角形等の多角形で、サブプレート３０と対応して、メインプレート２０とサブプレート３０を連結し、サブプレート３０がスライド可能な形状であればよい。同じく、サブプレート３０の係止部３２についても、複数本が突出しているが、この本数は図示した本数に限定されるものではなく、図示した本数以外の数や、略凹形状又は略凸形状、又は、四角形等の多角形で、メインプレート２０と対応して、メインプレート２０とサブプレート３０を連結し、サブプレート３０がスライド可能な形状であればよい。又、図面に図示したメインプレート２０の係止部２２は、両端部の係止部２２Ａには凹部２４が設けられ、その他の係止部２２Ｂには凸部２３が設けられているが、これとは逆に、両端部の係止部２２Ａに凸部を設け、その他の係止部２２Ｂに凹部を設けてもよく、更に、係止部２２すべてを凹部のみ又は凸部のみにしてもよい。同じく、サブプレート３０の係止部３２は、両端部の係止部３２Ａには凸部３４が設けられ、その他の係止部３２Ｂには凹部３３が設けられているが、これとは逆に、両端部の係止部３２Ａに凹部を設け、その他の係止部３２Ｂに凸部を設けてもよく、更に、係止部３２すべてを凹部のみ又は凸部のみにしてもよい。そして、係止部を、メインプレート又はサブプレートのどちらか一方に設け、メインプレートとサブプレートをスライド可能に連結してもよい。
【００３６】
【効果】
本発明に係る車椅子用フットプレートを実施することにより、以下の効果を奏することができる。第一に、本発明の車椅子用フットプレートは、車椅子のフレームに連結されるベースプレートに、取着片を用いて着脱自在に連結されるメインプレートを有するため、車椅子用フットプレートの連結位置を、車椅子の使用者の体格、脚部の怪我、麻痺等の病状、そして、病状の変化等に応じて変更することが可能である。従って、様々な車椅子使用者の脚部を確実に保持することができる。
【００３７】
第二に、本発明の車椅子用フットプレートは、その連結位置を車椅子の使用者の体格、脚部の怪我、麻痺等の病状、そして、病状の変化等に応じて変更することができるため、フットプレートが近すぎることにより、車椅子使用者の膝が左右へ倒れ込むことが無く、車椅子使用者の足腰に負担を掛けることは無い。
【００３８】
第三に、本発明の車椅子用フットプレートは、その連結位置を、車椅子の使用者の体格、脚部の怪我、麻痺等の病状、そして、病状の変化等に応じて変更することができるため、フットプレートが遠すぎることにより、車椅子使用者の脚部を十分に保持できず、車椅子使用者の脚部がフットプレートからすぐに滑り落ち、車椅子使用者が車椅子から転倒する危険性は無い。そのため、車椅子使用者は、フットプレートから足が滑り落ちて転倒することを注意する必要は無い。
【００３９】
第四に、本発明の車椅子用フットプレートは、車椅子のフレームに連結されるベースプレートに着脱自在に連結されるメインプレートにより、車椅子用フットプレートの連結位置を変更する。そのため、車椅子使用者の体格、脚部の怪我、麻痺等の病状、そして、病状の変化に応じて、車椅子用フットプレートの連結位置を非常に細かく調整することができる。
【００４０】
第五に、本発明の車椅子用フットプレートは、メインプレートにスライド可能に連結されるサブプレートを有するため、サブプレートをスライドさせることにより、車椅子用フットプレートの面積を拡大し又は縮小して変更することができる。従って、本発明の車椅子用フットプレート実施した車椅子は、車椅子使用者の脚部の大小を問わず、様々な車椅子使用者に対応することができる。
【００４１】
第六に、本発明の車椅子用フットプレートは、メインプレートにスライド可能に連結されるサブプレートを有するため、サブプレートをスライドさせることにより、車椅子用フットプレートの面積を変更することができる。従って、フットプレートが小さすぎることにより、車椅子使用者の脚部を十分に保持できず、車椅子使用者の脚部がフットプレートからすぐに滑り落ち、車椅子使用者が車椅子から転倒する危険性は無い。そのため、車椅子使用者は、フットプレートから足が滑り落ちて転倒することを注意する必要は無い。
【００４２】
第七に、本発明の車椅子用フットプレートは、メインプレートにスライド可能に連結されるサブプレートを有するため、サブプレートをスライドさせることにより、車椅子用フットプレートの面積を変更することができる。従って、
フットプレートが大きすぎることにより、車椅子への乗降の際にフットプレートが邪魔になるということは無い。又、折り畳み式車椅子に本発明のフットプレートを実施すれば、車椅子折り畳みの際にフットプレートの足置き面積を縮小すれば、車椅子不使用時の収納、持ち運び等においてその利便性は更に向上する。
【図面の簡単な説明】
【図１】本発明の車椅子用フットプレート１００の参考斜視図である。
【図２】本発明の車椅子用フットプレート１００の平面図である。
【図３】ベースプレート１０の平面図である。
【図４】メインプレート２０の平面図である。
【図５】メインプレート２０の係止部２２を先端部から表す図である。
【図６】サブプレート３０の平面図である。
【図７】サブプレート３０の係止部３２を先端部から表す図である。
【図８】ベースプレート１０とメインプレート２０の連結状態を表す一部透視参考図である。
【符号の説明】
１０  ベースプレート
１１  貫通孔
１２  フレーム連結部
２０  メインプレート
２１  貫通孔
２２  係止部
２３  凸部
２４  凹部
２５  下段部
３０  サブプレート
３１  貫通孔
３２  係止部
３３  凹部
３４  凸部
４０  取着片
１００  車椅子用フットプレート
２００  車椅子のフレーム
【図１】
0004206494.tif 000002
【図２】
0004206494.tif 000003
【図３】
0004206494.tif 000004
【図４】
0004206494.tif 000005
【図５】
0004206494.tif 000006
【図６】
0004206494.tif 000007
【図７】
0004206494.tif 000008
【図８】
0004206494.tif 000009